(57)【要約】【課題】巻き取り収納が可能であり、巻き取り時に筋状の跡等が付かず使用時の平面性を保つことができる巻き取り型反射スクリーン装置を提供する。【解決手段】巻き芯１２０に形成された径方向の高低差である段差部１２１の径方向の高さが低い部分に、段差部１２１とは距離を離して、弾性体を用いて形成された両面テープである第１の被覆部１３０の第１先端部１３０ａを貼付し、段差部１２１と第１先端部１３０ａとの間に溝形状の先端挿入部１４０を形成する。スクリーン本体１１０の先端部１１０ａ及び第１の被覆部１３０の他方の先端部分である第２先端部１３０ｂを先端挿入部１４０に挿入し、スクリーン本体１１０を、第１の被覆部１３０を介して巻き芯１２０に巻きつけて接合する。【選択図】図２
2007181552.tif 000002
【特許請求の範囲】
【請求項１】
映像源から投影された映像光を反射させて観察可能とする巻き取り型反射スクリーン装置であって、
収納時に巻き取られるスクリーンと、
前記スクリーンを巻き取り可能であり、径方向の高低差が形成された段差部を有する巻き芯と、
前記段差部の径方向の高さが低い部分に、前記段差部と前記巻き芯の周方向に距離を置いて接合される第１先端部を有し、前記巻き芯の外周部を覆うように設けられた第１の被覆部と、
前記段差部と前記第１先端部との間に形成された溝形状であり、前記第１の被覆部の他方の先端部分である第２先端部及び前記スクリーンの先端部が挿入された先端挿入部と、
を備えること、
を特徴とする巻き取り型反射スクリーン装置。
【請求項２】
請求項１に記載の巻き取り型反射スクリーン装置において、
前記スクリーンは、映像光を反射するスクリーン本体部と、前記巻き芯と前記スクリーン本体部との間に設けられた接続部とを有し、
前記先端挿入部には、前記接続部が挿入されていること、
を特徴とする巻き取り型反射スクリーン装置。
【請求項３】
請求項１又は請求項２に記載の巻き取り型反射スクリーン装置において、
前記第１の被覆部は、シート状の部材であること、
を特徴とする巻き取り型反射スクリーン装置。
【請求項４】
請求項１から請求項３までのいずれか１項に記載の巻き取り型反射スクリーン装置において、
前記第１の被覆部は、弾性体によって形成されていること、
を特徴とする巻き取り型反射スクリーン装置。
【請求項５】
請求項１から請求項４までのいずれか１項に記載の巻き取り型反射スクリーン装置において、
前記第１の被覆部は、ポリエチレン、変性ポリエチレン、アクリル、ウレタン、ポリ塩化ビニルのうち少なくとも１つを用いて形成されていること、
を特徴とする巻き取り型反射スクリーン装置。
【請求項６】
請求項１から請求項５までのいずれか１項に記載の巻き取り型反射スクリーン装置において、
前記第１先端部は、前記第１の被覆部の他の部分とは別部材を用いて形成されていること、
を特徴とする巻き取り型反射スクリーン装置。
【請求項７】
請求項６に記載の巻き取り型反射スクリーン装置において、
前記第１先端部は、前記第１の被覆部の他の部分よりも変形に対する抵抗が小さいこと、
を特徴とする巻き取り型反射スクリーン装置。
【請求項８】
請求項１から請求項７までのいずれか１項に記載の巻き取り型反射スクリーン装置において、
前記先端挿入部は、前記巻き芯の長手方向に延在して設けられていること、
を特徴とする巻き取り型反射スクリーン装置。
【請求項９】
請求項１から請求項８までのいずれか１項に記載の巻き取り型反射スクリーン装置において、
前記第１の被覆部は、粘着性又は接着性を有するシート状の部材により前記巻き芯と接合されていること、
を特徴とする巻き取り型反射スクリーン装置。
【請求項１０】
請求項１から請求項８までのいずれか１項に記載の巻き取り型反射スクリーン装置において、
前記第１の被覆部は、その両面に粘着性又は接着性を有する層が形成されていること、
を特徴とする巻き取り型反射スクリーン装置。
【請求項１１】
請求項１から請求項１０までのいずれか１項に記載の巻き取り型反射スクリーン装置において、
前記先端挿入部は、その幅が０．１〜５ｍｍであること、
を特徴とする巻き取り型反射スクリーン装置。
【請求項１２】
請求項１から請求項１１までのいずれか１項に記載の巻き取り型反射スクリーン装置において、
前記第１の被覆部は、その厚みが０．１〜３ｍｍであること、
を特徴とする巻き取り型反射スクリーン装置。
【請求項１３】
請求項１から請求項１２までのいずれか１項に記載の巻き取り型反射スクリーン装置において、
前記スクリーンの先端部及び前記第２先端部を覆うように貼り付けられた、シート状の第２の被覆部を有すること、
を特徴とする巻き取り型反射スクリーン装置。
【請求項１４】
請求項１３に記載の巻き取り型反射スクリーン装置において、
前記第２の被覆部は、その厚みが０．１ｍｍ以下であること、
を特徴とする巻き取り型反射スクリーン装置。
【発明の詳細な説明】
【技術分野】
【０００１】
本発明は、映像光を観察面側から投影して観察可能に表示する巻き取り型反射スクリーン装置に関するものである。
【背景技術】
【０００２】
近年、プロジェクターにより映像光を投射し、大画面のスクリーンで映像を楽しめるホームシアター等の低価格化が進み、一般家庭等にも普及し始めている。このようなスクリーン装置の中でも、反射スクリーン装置は、不使用時には巻き取って収納できるタイプのものが広く普及している。
そのような巻き取り可能な反射スクリーン装置では、スクリーンを巻き芯に巻き取って収納するために、スクリーンの一方の端部は、巻き芯の周面に軸方向（長手方向）に沿って接着材を用いて貼り付ける等して、取り付けられている。
そのため、巻き芯の周面と、巻き芯に取り付けられたスクリーンの厚みによる段差が生じる。巻き芯に巻き取った収納状態で長期間放置すると、巻き取られたスクリーンの段差と重なる位置に、筋状の曲げグセが跡となって残る（以下、これを巻き段とする）。この巻き段が生じると、使用時に、スクリーンの平面性が不十分になり、映像が歪んで観察されてしまうという問題があった。
【０００３】
この問題を解決するために、特許文献１では、スクリーンの巻き取り軸（巻き芯）に対して直交する方向のスクリーン両端部に、巻上方向に沿って肉厚部を設ける手法が開示されている。また、特許文献２では、スクリーンの巻き取り軸に対して直交する方向のスクリーンと密接する巻き取り軸の周面に、突出部を設ける手法が開示されている。
しかし、特許文献１に開示された手法では、巻き取ったスクリーンの径が大きくなり、収納時にかさ張るという問題があった。また、スクリーン両端部に映像を映す領域とは別に肉厚部を設けるための領域を余分に設けなくてはならないという問題があった。さらに、肉厚部に巻き段がついてしまう形態であるのため、この肉厚部についた巻き段によって、スクリーン中央の映像領域が歪むという問題があった。
特許文献２に開示された手法では、巻き芯の両端部に突出部を設けるための領域を余分に設けなくてはならないという問題があった。また、スクリーンは、突出部の切溝に通されて巻き取り軸に取り付けられる形態であるため、スクリーンの両端部には巻き段が生じてしまい、スクリーン中央の映像領域に歪みが生じるという問題があった。
また、特許文献１及び特許文献２に開示された手法は、ともに、スクリーンの両端を支持する形状であるので、長期の保管等によって、スクリーン中央部がたるむという問題があった。
【０００４】
一方、特許文献３、特許文献４の第４図及び第５図では、予め、巻き芯の外周の一部にその長手方向の全長にわたって、スクリーンの厚みと略同等となる段を形成し、段の谷部にスクリーンの先端部を当てて接着する手法が開示されている。しかし、この手法では、取り付けられるスクリーンの先端部の表面が、巻き芯の周面よりも僅かに高さがずれていたり、又は、スクリーンの厚みの経時変化によって同一面を確保することが難しく、巻き段が発生するという問題があった。
【０００５】
【特許文献１】特許第２９８５６３４号公報
【特許文献２】特許第２９４７０４５号公報
【特許文献３】実開昭５１−１２０１３４号公報
【特許文献４】特許第３３０３５１１号公報（第５頁、図４及び図５）
【発明の開示】
【発明が解決しようとする課題】
【０００６】
本発明の課題は、巻き取り収納が可能であり、スクリーンに筋状の跡等の巻き段が付かず、使用時に平面性を保つことができる巻き取り型反射スクリーン装置を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、映像源（Ｌ）から投影された映像光を反射させて観察可能とする巻き取り型反射スクリーン装置であって、収納時に巻き取られるスクリーン（１１０，２１０，８１０）と、前記スクリーンを巻き取り可能であり、径方向の高低差が形成された段差部（１２１）を有する巻き芯（１２０）と、前記段差部の径方向の高さが低い部分に、前記段差部と前記巻き芯の周方向に距離を置いて接合される第１先端部（１３０ａ，２３０ａ，３３１，４３０ａ，５３０ａ）を有し、前記巻き芯の外周部を覆うように設けられた第１の被覆部（１３０，２３０，３３０，４３０，５３０）と、前記段差部と前記第１先端部との間に形成された溝形状であり、前記第１の被覆部の他方の先端部分である第２先端部（１３０ｂ，２３０ｂ，３３２ｂ，４３０ｂ，５３０ｂ）及び前記スクリーンの先端部（１１０ａ，２１０ａ）が挿入された先端挿入部（１４０，２４０，３４０，４４０，５４０）と、を備えること、を特徴とする巻き取り型反射スクリーン装置（１０，２０，３０，４０，５０，８０）である。
請求項２の発明は、請求項１に記載の巻き取り型反射スクリーン装置において、前記スクリーン（８１０）は、映像光を反射するスクリーン本体部（８１１）と、前記巻き芯（１２０）と前記スクリーン本体部（８１１）との間に設けられた接続部（８１２）とを有し、前記先端挿入部には、前記接続部が挿入されていること、を特徴とする巻き取り型反射スクリーン装置（８０）である。
請求項３の発明は、請求項１又は請求項２に記載の巻き取り型反射スクリーン装置において、前記第１の被覆部（１３０，２３０，３３０，４３０，５３０）は、シート状の部材であること、を特徴とする巻き取り型反射スクリーン装置（１０，２０，３０，４０，５０）である。
請求項４の発明は、請求項１から請求項３までのいずれか１項に記載の巻き取り型反射スクリーン装置において、前記第１の被覆部（１３０，２３０，３３０，４３０，５３０）は、弾性体によって形成されていること、を特徴とする巻き取り型反射スクリーン装置（１０，２０，３０，４０，５０）である。
請求項５の発明は、請求項１から請求項４までのいずれか１項に記載の巻き取り型反射スクリーン装置において、前記第１の被覆部（１３０，２３０，３３０，４３０）は、ポリエチレン、変性ポリエチレン、アクリル、ウレタン、ポリ塩化ビニルのうち少なくとも１つを用いて形成されていること、を特徴とする巻き取り型反射スクリーン装置（１０，２０，３０，４０）である。
請求項６の発明は、請求項１から請求項５までのいずれか１項に記載の巻き取り型反射スクリーン装置において、前記第１先端部（３３１）は、前記第１の被覆部（３３０）の他の部分とは別部材を用いて形成されていること、を特徴とする巻き取り型反射スクリーン装置（３０）である。
請求項７の発明は、請求項６に記載の巻き取り型反射スクリーン装置において、前記第１先端部（３３１）は、前記第１の被覆部（３３０）の他の部分よりも変形に対する抵抗が小さいこと、を特徴とする巻き取り型反射スクリーン装置（３０）である。
請求項８の発明は、請求項１から請求項７までのいずれか１項に記載の巻き取り型反射スクリーン装置において、前記先端挿入部（１４０，２４０，３４０，４４０，５４０）は、前記巻き芯（１２０）の長手方向に延在して設けられていること、を特徴とする巻き取り型反射スクリーン装置（１０，２０，３０，４０，５０）である。
請求項９の発明は、請求項１から請求項８までのいずれか１項に記載の巻き取り型反射スクリーン装置において、前記第１の被覆部（３３０）は、粘着性又は接着性を有するシート状の部材（３６０）により前記巻き芯（１２０）と接合されていること、を特徴とする巻き取り型反射スクリーン装置（３０）である。
請求項１０の発明は、請求項１から請求項８までのいずれか１項に記載の巻き取り型反射スクリーン装置において、前記第１の被覆部（１３０，２３０，４３０，５３０）は、その両面に粘着性又は接着性を有する層が形成されていること、を特徴とする巻き取り型反射スクリーン装置（１０，２０，４０，５０）である。
請求項１１の発明は、請求項１から請求項１０までのいずれか１項に記載の巻き取り型反射スクリーン装置において、前記先端挿入部（１４０，２４０，３４０，５４０）は、その幅が０．１〜５ｍｍであること、を特徴とする巻き取り型反射スクリーン装置（１０，２０，３０，５０）である。
請求項１２の発明は、請求項１から請求項１１までのいずれか１項に記載の巻き取り型反射スクリーン装置において、前記第１の被覆部（１３０，２３０，３３０，４３０）は、その厚みが０．１〜３ｍｍであること、を特徴とする巻き取り型反射スクリーン装置（１０，２０，３０，４０）である。
請求項１３の発明は、請求項１から請求項１２までのいずれか１項に記載の巻き取り型反射スクリーン装置において、前記スクリーンの先端部（２１０ａ）及び前記第２先端部（２３０ｂ，３３０ｂ）を覆うように貼り付けられた、シート状の第２の被覆部（２５０）を有すること、を特徴とする巻き取り型反射スクリーン装置（２０，３０）である。
請求項１４の発明は、請求項１３に記載の巻き取り型反射スクリーンにおいて、前記第２の被覆部（２５０）は、その厚みが０．１ｍｍ以下であること、を特徴とする巻き取り型反射スクリーン（２０，３０）である。
【発明の効果】
【０００８】
本発明によれば、以下の効果を奏することができる。
（１）巻き取り型反射スクリーン装置は、段差部と第１先端部との間に形成された溝形状の先端挿入部に、第１の被覆部の第２先端部及びスクリーンの先端部が挿入されるので、スクリーンを巻き芯に巻き取って長期間保管する場合等に、スクリーンの表面と巻き芯の外周面との段差によってスクリーンに筋状に生じる巻き段を防止できる。従って、巻き取り型反射スクリーン装置は、使用時に高い平面性を保つことができる。
また、第２先端部は、先端挿入部に挿入されるので、段差部の角となる部分を覆うような形態となり、段差部の高低差の高い部分の角によってスクリーンに傷が付いたり、スクリーンに巻き段が付いたりすることも防止できる。
さらに、巻き芯は、市販されている巻き芯を使用することができ、入手が容易であり、生産コストを抑えることができる。
【０００９】
（２）スクリーンは、映像光を反射するスクリーン本体部と、巻き芯と前記スクリーン本体部との間に設けられた接続部とを有し、先端挿入部には、接続部が挿入されているので、巻き芯の外周面と接続部の表面との段差によって生じる巻き段を防止できる。
【００１０】
（３）第１の被覆部は、シート状の部材であるので、第１の被覆部自体の製造が容易である。また、巻き芯に容易に巻きつけることができる。
【００１１】
（４）第１の被覆部は、弾性体によって形成されているので、スクリーンの巻き始めの部分が重なる部分は、適度に変形可能であり、スクリーンの厚みによる段差を解消できる。従って、巻き段の発生を防止する効果をさらに高めることができる。
【００１２】
（５）第１の被覆部は、ポリエチレン、変性ポリエチレン、アクリル、ウレタン、ポリ塩化ビニルのうち少なくとも１つを用いて形成されているので、軟質であり、且つ、適度に変形可能であり、また、入手が容易である。さらに、これらの材料は、発泡成形させることができ、その場合さらに柔軟性を高めることが期待でき、巻き段防止効果を高めることができる。
【００１３】
（６）第１先端部は、第１の被覆部の他の部分とは別部材を用いて形成されているので、変形し易さ，復元力，厚み等をスクリーンの厚み等に合わせて選択することができる。
【００１４】
（７）第１先端部は、第１の被覆部の他の部分とは別部材を用いて形成され、第１の被覆部の他の部分よりも変形に対する抵抗が小さいので、スクリーンの厚みによる段差を、適度に変形して解消できる。
【００１５】
（８）先端挿入部は、巻き芯の長手方向に延在して設けられているので、段差部の径方向の高さの低い部分に、段差部とは巻き芯の周方向に距離を離して、第１の被覆部として長方形のシート状の部材を巻き芯に巻きつけるという簡単な方法で形成できる。また、スクリーンも一般的な長方形、正方形のものを使用することができる。
【００１６】
（９）第１の被覆部は、粘着性又は接着性を有するシート状の部材により巻き芯と接合されるので、巻き芯に容易に接合することができる。
【００１７】
（１０）第１の被覆部は、その両面に粘着性又は接着性を有する層が形成されているので、第１の被覆部を巻き芯に巻きつけるだけで、容易に巻き芯に接合することができる。
【００１８】
（１１）先端挿入部は、その幅が０．１〜５ｍｍであるので、スクリーンの先端部及び第１の被覆部の第２先端部が先端挿入部に挿入されることにより、先端挿入部を設けたことによる不要な空間や溝が生じない。従って、巻き取られて巻き芯を周回して先端挿入部上に重なるスクリーン部分が、先端挿入部に落ち込むことがなく、巻き段の発生を防止できる。また、巻き取ったまま長期保管した場合にも、スクリーンに筋状の巻き段が発生することがない。
【００１９】
（１２）第１の被覆部は、その厚みが０．１〜３ｍｍであるので、巻き芯にスクリーンを巻き取った収納時の径が大きくならず、収納時にかさ張ることなく巻き段の発生を防止できる。また、第１の被覆部は、スクリーンと巻き芯とを接合する機能を有するので、第１の被覆部が厚くなりすぎると、使用時に、第１の被覆部のせん断強度が低下してスクリーンが巻き芯から脱落するおそれがあるが、この範囲内とすることにより、これを防止できる。
【００２０】
（１３）スクリーンの先端部及び第２先端部を覆うように貼り付けられた、シート状の第２の被覆部を有するので、巻き取られて巻き芯を周回して先端挿入部上に重なるスクリーン部分が、先端挿入部に落ち込むことがなく、巻き段の発生防止効果を高めることができる。また、スクリーンと第１の被覆部との接合力をさらに高めることができる。
【００２１】
（１４）第２の被覆部は、その厚みが０．１ｍｍ以下であるので、先端挿入部及びスクリーンの先端部を覆うように貼り付けても、新たな段差を生じさせることがなく、巻き段の発生を防止できる。
【発明を実施するための最良の形態】
【００２２】
本発明は、巻き取り収納が可能であり、スクリーンに筋状の跡等の巻き段が付かず、使用時に平面性を保つことができる巻き取り型反射スクリーン装置を提供するという目的を、巻き芯の長手方向に延在する径方向の高低差である段差部と第１の被覆部の第１先端部との間に形成された溝形状の先端挿入部に、スクリーンの先端部及び第１の被覆部の第２先端部を挿入することにより実現した。
【実施例１】
【００２３】
図１は、本発明による巻き取り型反射スクリーン装置の実施例１の使用状態を示す図である。なお、図１を含め以下に示す各図は、説明のため、各部の寸法、形状等を適宜誇張して示している。
本実施例の巻き取り型反射スクリーン装置１０は、プロジェクター光学エンジン部（映像源）Ｌから投影された映像光を観察者Ｏ側へ反射させて観察可能とするスクリーンを巻き取り可能な反射スクリーン装置であり、スクリーン本体１１０，収納部１２，錘部１３等を備えている。
スクリーン本体１１０は、映像源Ｌから投影された映像光を反射して観察可能に表示する領域であり、収納時等に後述の巻き芯１２０に巻き取り可能である。本実施例では、スクリーン本体１１０は、塩化ビニル製の白色のシートが用いられ、その厚みは０．４ｍｍである。なお、スクリーン本体１１０の厚みは、０．０５〜１ｍｍが好ましい。また、本実施例のスクリーン本体１１０では、映像光を反射して観察可能とする画面サイズは、８０インチである。
【００２４】
収納部１２は、不使用時等に、巻き取ったスクリーン本体１１０をその内部に収納する部分である。収納部１２は、金属又はプラスチック製等の中空の部材であり、その軸方向に、スクリーン本体１１０を引き出し可能なスリット等が形成されている。収納部１２の内部には、後述する巻き芯１２０が備えられており、スクリーン本体１１０の一端は、この巻き芯１２０に取り付けられている。
錘部１３は、スクリーン本体１１０の巻き芯１２０に取り付けられる一端とは反対側の端部に設けられた部分である。この錘部１３は、その錘部１３によって巻き取り型反射スクリーン装置１０に加わる荷重によって、巻き取り型反射スクリーン装置１０の使用状態での平面性を高めるために十分な重さを有している。本実施例では、錘部１３は、金属製の丸棒状の部材であり、スクリーン本体１１０の一端が巻きつけられ、接着されている。
本実施例の巻き取り型反射スクリーン装置１０は、スクリーン本体１１０を、スプリングの付勢力によって巻き取るスプリング巻上げ式の反射スクリーン装置である。しかし、これに限らず、例えば、スクリーン本体の巻き取りを電動で行う電動式巻き取り型や、パンタグラフを複数組み合わせた伸縮機構による下からの持ち上げによってスクリーン本体の巻き取りを行う方式であってもよい。
【００２５】
図２は、本発明による巻き取り型反射スクリーン装置１０の実施例１の収納部１２内の巻き芯１２０とスクリーン本体１１０との関係を説明する断面図である。
収納部１２内には、巻き芯１２０が回転可能に備えられ、スクリーン本体１１０の錘部１３が設けられている側とは反対側の先端部１１０ａが巻き芯１２０に取り付けられている。また、収納部１２，巻き芯１２０の両端部には、不図示のバネ等が設けられており、巻き芯１２０は、巻き取り方向に付勢されている。
【００２６】
巻き芯１２０は、段差部１２１を有し、スクリーン本体１１０を巻き取ることができる金属又はプラスチック製等の略円筒形状の部材である。段差部１２１は、巻き芯１２０の外周部に設けられ、径方向の高低差が形成された部分である。本実施例では、巻き芯１２０は、アルミニウム製であり、段差部１２１の高さが低い方の外周部での外径が５０ｍｍであり、中空に形成されている。また、段差部１２１は、巻き芯１２０の長手方向に延在し、その高低差は、０．７ｍｍである。
なお、本実施例では、段差部１２１の高低差を０．７ｍｍとしたが、これに限らず、スクリーン本体１１０や後述する第１の被覆部１３０等の厚みによって、好ましいもの適宜選択して用いてよい。
【００２７】
第１の被覆部１３０は、弾性体を用いて形成されたシート状の部材（フィルム状の部材も含む）を用いて形成され、その両面に粘着性を有している。この第１の被覆部１３０は、段差部１２１の径方向の高さが低い部分に、段差部１２１と巻き芯１２０の周方向に距離を置いて接合される第１先端部１３０ａと、後述の先端挿入部１４０に挿入されている第２先端部１３０ｂとを有している。
本実施例では、第１の被覆部１３０は、ポリエチレン系の材料を用いた厚さ１ｍｍの両面テープによって形成されている。なお、この厚さは、圧力等で潰れる前の厚さである。
ここで、本実施例では、第１の被覆部１３０は、弾性体として潰れやすく、かつ、復元力のある発泡体であるポリエチレン系の材料（以下、発泡ポリエチレン系の材料とする）を用いたが、これに限らず、変性ポリエチレン、アクリル、ウレタン、ポリ塩化ビニルを用いることが、柔軟であり低コストであるという理由から好ましい。また、第１の被覆部としては、これに限らず、ゴム等を用いてもよい。
【００２８】
本実施例では、第１の被覆部１３０の第１先端部１３０ａは、段差部１２１の径方向の高さの低い部分に、段差部１２１から巻き芯１２０の周方向に４ｍｍ離した位置に接合され、段差部１２１との間に先端挿入部１４０を形成している。第１の被覆部１３０は、巻き芯１２０の外周部を覆うように巻きつけて接合され、第２先端部１３０ｂが段差部１２１の高い部分の角を覆うようにして後述の先端挿入部１４０に挿入されている。
【００２９】
先端挿入部１４０は、段差部１２１と第１の被覆部１３０の第１先端部１３０ａとの間に形成された溝形状の部分であり、スクリーン本体１１０の先端部１１０ａ及び第１の被覆部１３０の第２先端部１３０ｂが挿入されている部分である。本実施例では、先端挿入部１４０は、巻き芯１２０の長手方向に形成され、先端挿入部１４０の幅（巻き芯１２０の外周面での周方向の距離）は４ｍｍである。
スクリーン本体１１０は、先端挿入部１４０に、その先端部１１０ａが挿入され、第１の被覆部１３０を介して巻き芯１２０に巻きつけられて接合されている。
【００３０】
本実施例によれば、先端挿入部１４０にスクリーン本体１１０の先端部１１０ａ及び第１の被覆部１３０の第２先端部１３０ａが挿入されているので、スクリーン本体１１０の厚みによる段差が緩やかになる。従って、巻き取って長期保管した場合等に、スクリーン本体１１０の厚みによる段差に起因してスクリーン本体１１０に生じる巻き段を防止できる。
また、第１の被覆部１３０は、両面テープであるので、容易にスクリーン本体１１０と巻き芯１２０とを接合できる。第１の被覆部１３０により、スクリーン本体１１０を略１周回分巻きつけて巻き芯１２０と接合することができるので、スクリーン本体１１０と巻き芯１２０との接合性を向上させることができる。
さらに、第１の被覆部１３０は、圧力等によって、潰れやすく、かつ、復元力も有している弾性体を用いて形成されているので、スクリーン本体１１０の巻き始め部分と重なる部分が変形することによって、スクリーン本体１１０の厚みによる段差を緩やかにする。従って、巻き段の防止に、より効果的である。
さらにまた、先端挿入部１４０は、第１の被覆部１３０を巻き芯１２０に巻きつけるだけで形成されるので、形成が容易であり、作業工程の短縮、生産コストの低減等を図ることができる。
加えて、第１の被覆部１３０の第２先端部１３０ｂは、段差部１２１の径方向の高さが高い部分の角を覆うようにして先端挿入部１４０に挿入されるので、角がスクリーン本体１１０に接することによって生じる巻き段や、傷等を防止できる。
【実施例２】
【００３１】
図３は、本発明による巻き取り型反射スクリーン装置の実施例２の収納部１２内の巻き芯１２０とスクリーン本体２１０との関係を説明する断面図である。
実施例２の巻き取り型反射スクリーン装置２０は、スクリーン本体２１０の厚み，第１の被覆部２３０の厚み，先端挿入部２４０の幅が異なる点、第２の被覆部２５０が設けられた点の他は、実施例１に示した巻き取り型反射スクリーン装置１０と略同様の形態である。
なお、以下に示す各実施例において、前述した実施例１の巻き取り型反射スクリーン装置１０と同様の機能を果たす部分には、同一の符号又は末尾に同一の符号を付して、重複する説明を適宜省略する。
スクリーン本体２１０は、ＰＥＴ（ポリエチレンテレフタレート）製の白色のシート状の部材であり、その厚さは０．１ｍｍである。
第１の被覆部２３０は、発泡ポリエチレン系の材料を用いた厚さ０．５ｍｍの両面テープを用いて形成されている。第１の被覆部２３０の第１先端部２３０ａは、段差部１２１の径方向の高さの低い部分に、段差部１２１から巻き芯１２０の周方向に３ｍｍ離して接合され、段差部１２１と第１先端部２３０ａとの間には、溝形状の先端挿入部２４０が形成されている。
第１の被覆部２３０は、巻き芯１２０の外周部を覆うように接合され、第２先端部２３０ｂは、段差部１２１の径方向の高さの高い部分の角を覆うようにして、先端挿入部２４０に挿入されている。
先端挿入部２４０は、巻き芯１２０の周方向の幅が３ｍｍであり、スクリーン本体２１０の先端部２１０ａと第１の被覆部２３０の第２先端部２３０ｂとが挿入されている。
スクリーン本体２１０は、その先端部２１０ａを先端挿入部２４０に挿入し、第１の被覆部２３０を介して巻き芯１２０に巻きつけるように接合されている。
【００３２】
第２の被覆部２５０は、シート状の部材を用いて形成され、スクリーン本体２１０の先端部２１０ａと第１の被覆部２３０の第２先端部２３０ｂとを覆うように貼り付けられている。本実施例では、巻き芯１２０の周方向の幅が２０ｍｍ、厚さ５０μｍのＰＥＴ製の粘着テープを用いている。
なお、第２の被覆部２５０を形成する部材としては、その厚みが１００μｍ（０．１ｍｍ）以下のものを用いることが、巻き段の発生を防ぐ上で望ましい。
また、本実施例では、図３に示すように、第２の被覆部２５０は、先端挿入部２４０の略全体を覆うように、スクリーン本体２１０の先端部２１０ａと第１の被覆部２３０の第２先端部２３０ｂに貼付したが、これに限らず、接合性等に問題が無ければ、少なくともスクリーン本体１１０の先端部１１０ａと第２先端部２３０ｂのみを覆う形で貼付してもよい。
【００３３】
実施例２においても、巻き段の発生を防止する効果が得られた。
また、第２の被覆部２５０を用いることにより、スクリーン本体２１０の先端部２１０ａと第１の被覆部２３０の第２先端部２３０ｂとの間に生じる隙間に、巻き芯１２０を周回してきたスクリーン本体２１０が落ち込むことを防止できる。さらに、実施例２に示したように第１の被覆部２３０が薄い場合にも、第２の被覆部２５０を用いることにより、スクリーン本体２１０の厚みによる段差を緩やかにすることができる。さらにまた、第２の被覆部２５０によって、スクリーン本体２１０と巻き芯１２０との接合力をさらに高めることができる。
【実施例３】
【００３４】
図４は、本発明による実施例３の巻き取り型反射スクリーン装置３０の収納部１２内の巻き芯１２０とスクリーン本体２１０との関係を説明する断面図である。
実施例３の巻き取り型反射スクリーン装置３０は、両面テープ３６０を用いて第１の被覆部３３０を巻き芯１２０に接合しており、第１の被覆部３３０の第１先端部３３１は、発泡ポリエチレン系の材料を用いた両面テープで形成され、第１の被覆部３３０のその他の部分とは別部材を用いて形成されている点が実施例２とは異なる。
実施例３の巻き取り型反射スクリーン装置３０は、巻き芯１２０の外周部に、アクリルフォームを支持体とし、その両面に強粘着アクリル系の粘着剤が塗布されて形成された、厚さ０．１ｍｍの両面テープ３６０（株式会社  寺岡製作所製  Ｎｏ．７８４０）を貼付し、その上に、第１の被覆部３３０が接合されている。
【００３５】
第１の被覆部３３０は、第１先端部３３１に相当する部分は、発泡系ポリエチレン系材料を用いた厚さ０．５ｍｍ、巻き芯１２０の周方向の幅２５ｍｍの両面テープを用いて形成され、その他の部分である第１の被覆部本体３３２は、厚さ１．５ｍｍの軟質塩化ビニルシートを用いて形成されている。第１先端部３３１は、第１の被覆部本体３３２よりも、変形に対する抵抗が小さい。
第１先端部３３１は、段差部１２１の径方向の高さの低い部分に、段差部１２１から３ｍｍ離して接合されている。第１の被覆部３３０は、巻き芯１２０の外周部を覆うように巻きつけられて接合され、第２先端部３３２ｂは、段差部１２１の径方向の高さが高い部分の角を覆うようにして、先端挿入部３４０に挿入されている。
先端挿入部３４０は、段差部１２１と第１の被覆部３３０の第１先端部３３１との間に形成された溝形状の部分であり、巻き芯１２０の周方向の幅は３ｍｍである。
【００３６】
なお、本実施例では、両面テープ３６０は、第１の被覆部３３０と共に、段差部１２１から３ｍｍ離して巻き芯１２０の外周部に接合されているが、これに限らず、例えば、段差部１２１の径方向の高さの低い部分に接合される両面テープ３６０の端部が、段差部１２１に接していてもよい。また、本実施例では、両面テープ３６０は、巻き芯１２０の外周部を略全周覆うように設けられ、第１の被覆部３３０を巻き芯１２０に接合しているが、これに限らず、例えば、巻き芯１２０に第１の被覆部３３０を接合する強度が確保できれば、巻き芯１２０の外周部の略全周を覆う必要はない。
【００３７】
スクリーン本体２１０は、実施例２に示した例と同様に、厚さ０．１ｍｍのＰＥＴ製のシート状の部材であり、その先端部２１０ａは、先端挿入部３４０に挿入されている。
第２の被覆部２５０は、実施例２に示した例と同様に、巻き芯１２０の周方向の幅２０ｍｍ、厚さ５０μｍのＰＥＴ製の粘着テープを用いて形成され、スクリーン本体２１０の先端部２１０ａと第１の被覆部３３０の第２先端部３３２ｂと先端挿入部３４０とを覆うように貼付されている。
【００３８】
実施例３の巻き取り型反射スクリーン装置３０においても、実施例１及び実施例２と同様に、巻き段を防止する効果が得られた。
加えて、第１の被覆部３３０の第１先端部３３０ａは、発泡ポリエチレン系の材料を用いた両面テープによって形成されているので、変形することにより、スクリーン本体２１０の厚さを緩やかにして巻き段の防止効果を高めることができる。また、スクリーン本体２１０の少ない面積で、スクリーン本体２１０を巻き芯１２０に接合できるので、スクリーン本体２１０として用いる部材の使用量を少なくすることができ、生産コストを抑えることができる。さらに、第１の被覆部３３０は、第１先端部３３１に比べて、その他の部分である第１の被覆部本体３３２の変形に対する抵抗は大きいので、第１の被覆部３３０全体が潰れてしまい、先端挿入部３４０を設けていない場合と同様な形態となって巻き段が生じることを防止できる。さらにまた、第１の先端部３３１と第１の被覆部本体３３２との材質を変えることにより、スクリーン本体２１０の厚さ等によって、第１先端部３３１と第１の被覆部本体３３２とに適切な材質の部材を用いることができ、設計の自由度を高めることができる。その上、第１先端部３３１として用いる弾性体が高価である場合には、その使用量を抑えることができるので、高い品質を保ちながら安価で製造できる。
第２の被覆部２５０は、スクリーン本体２１０の先端部２１０ａと先端挿入部３４０とを覆うように貼り付けられているので、スクリーン本体２１０と巻き芯１２０との接合力を向上することができる。
【実施例４】
【００３９】
図５は、本発明による実施例４の巻き取り型反射スクリーン装置４０の収納部１２内の巻き芯１２０とスクリーン本体１１０との関係を説明する断面図である。
実施例４の巻き取り型反射スクリーン装置４０は、実施例１に示した巻き取り型反射スクリーン装置１０と略同様の形態であるが、スクリーン本体１１０の先端部１１０ａ及び第１の被覆部４３０の第２先端部４３０ｂが挿入される先端挿入部４４０の巻き芯１２０の周方向の幅が１０ｍｍである点が異なる。
第１の被覆部４３０は、実施例１に示した第１の被覆部１３０と同様に、発泡ポリエチレン系の材料によって形成された厚さ１ｍｍの両面テープを用いて形成されている。第１先端部４３０ａは、巻き芯１２０の段差部１２１の径方向の高さの低い部分に、段差部１２１から１０ｍｍ離れた位置に接合されて、段差部１２１との間に溝形状の先端挿入部４４０が形成されている。
本実施例によれば、従来の巻き取り型反射スクリーン装置に比べて、巻き段の発生は軽減された。
【実施例５】
【００４０】
図６は、本発明による実施例５の巻き取り型反射スクリーン装置５０の収納部１２内の巻き芯１２０とスクリーン本体２１０との関係を説明する断面図である。
実施例５の巻き取り型反射スクリーン装置５０は、実施例２に示した巻き取り型反射スクリーン装置２０と略同様の形態であるが、第１の被覆部５３０の厚さが実施例２に示した第１の被覆部２３０よりも薄い点において異なる。
第１の被覆部５３０は、ポリエステル系の材料を用いた両面テープを用いて形成され、その厚さは０．０５ｍｍである。また、スクリーン本体２１０は、ＰＥＴを用いて形成された白色のシート状の部材であり、その厚さが０．１ｍｍである。
スクリーン先端挿入部５４０は、巻き芯１２０の周方向の幅が３ｍｍであり、スクリーン本体２１０の先端部２１０ａ及び第１の被覆部５３０の第２先端部５３０ｂが挿入されている。
本実施例によれば、従来の巻き取り型反射スクリーン装置に比べて、巻き段の発生は軽減された。
【００４１】
（比較例との対比）
ここで、以上に説明した実施例１から実施例５までの巻き取り型反射スクリーン装置の効果を検証するため、以下に示す比較例の巻き取り型反射スクリーン装置を作製して巻き段の発生を調べた。
図７は、比較例１，比較例２の巻き取り型反射スクリーン装置６０，７０の巻き芯１２０とスクリーン本体１１０との関係を説明する断面図である。図７（ａ）は、比較例１を示し、図７（ｂ）は、比較例２を示している。
比較例１及び比較例２の巻き取り型反射スクリーン装置６０，７０は、実施例１から実施例５までの巻き取り型反射スクリーン装置１０，２０，３０，４０，５０と同様の巻き芯１２０（アルミニウム製、外径５０ｍｍ）を用いている。
【００４２】
（比較例１）
比較例１の巻き取り型反射スクリーン装置６０は、図７（ａ）に示すように、第１の被覆部に相当する部材を備えておらず、巻き芯１２０に、不織布によって形成された巻き芯１２０の周方向の幅２５ｍｍ、厚さ０．１ｍｍの両面テープ６７０を貼付し、その両面テープ６７０によって、スクリーン本体１１０を巻き芯１２０に接合している。
スクリーン本体１１０の先端部１１０ａは、段差部１２１の径方向の高さの低い部分に、段差部１２１と接するようにして、両面テープ６７０を介して巻き芯１２０に接合されている。
スクリーン本体１１０は、実施例１に示した例と同様に、塩化ビニル製の白色のシート状の部材であり、その厚さは０．４ｍｍである。
【００４３】
（比較例２）
比較例２の巻き取り型反射スクリーン装置７０は、図７（ｂ）に示すように、第１の被覆部６３０は備えているが、先端挿入部に相当する形状が形成されていない点で実施例１の巻き取り型反射スクリーン装置１０とは異なる。
第１の被覆部６３０は、発泡ポリエチレン系の材料を用いた厚さ１ｍｍの両面テープによって形成され、巻き芯１２０の外周部の略全周を覆っている。スクリーン本体１１０は、実施例１に示した例と同様に、厚さが０．４ｍｍの白色のシート状の部材であり、塩化ビニル製である。
【００４４】
図８は、実施例１から実施例５までの巻き取り型反射スクリーン装置１０，２０，３０，４０，５０と、比較例１及び比較例２の巻き取り型反射スクリーン装置６０，７０の各部の寸法等を示した図である。
実際に、実施例１から実施例５、比較例１及び比較例２の各巻き取り型反射スクリーン装置を作製して巻き段の発生を調べたところ、実施例１から実施例３までの巻き取り型反射スクリーン装置１０，２０，３０では巻き段は発生せず、平面性の高いスクリーンが得られた。
しかし、実施例４及び実施例５の巻き取り型反射スクリーン装置４０，５０では、反射スクリーンとしての実用上の許容範囲ではあったが、弱い巻き段が発生した。また、比較例１及び比較例２の巻き取り型反射スクリーン装置６０，７０では、強い巻き段が発生し、投影された映像には歪みが生じ、反射スクリーンとしての実用には適さなかった。
【００４５】
先端挿入部４４０の巻き芯１２０の周方向の幅が１０ｍｍである実施例４の巻き取り型反射スクリーン装置４０では、先端挿入部４４０の幅が広いため、スクリーン本体１１０の先端部１１０ａと第１の被覆部４３０の第２先端部４３０ｂが挿入されても、先端挿入部４４０に不要な空間が生じてしまい、巻き取り時に、巻き芯１２０を周回して先端挿入部４４０上に重なるスクリーン本体１１０がその不要な空間に落ち込むことに起因する弱い巻き段が発生した。
このことから、先端挿入部は、巻き芯１２０の周方向の幅が０．１〜５ｍｍであることが好ましいことが分った。先端挿入部の巻き芯１２０の周方向に沿った幅が、これよりも大きいと、先端挿入部を形成せずに、スクリーン本体の先端部を巻き芯１２０の外周面に接合した形態に等しくなる。スクリーン本体の先端部は、断裁等により、その角が鋭利に尖った形状をしているため、巻き段が発生する原因となる。しかし、先端挿入部の巻き芯１２０の周方向の幅を、この範囲で形成することにより、スクリーン本体の先端部のみが先端挿入部に挿入される形態となり、スクリーン本体の厚みによる段差が緩やかになり、巻き段を防止できる。
【００４６】
また、第１の被覆部５３０の厚さが０．０５ｍｍであり、０．１〜３ｍｍの範囲外である実施例５の巻き取り型反射スクリーン装置５０では、スクリーン本体２１０の先端部２１０ａを挿入するのに十分な先端挿入部５４０の深さが得られず弱い巻き段が発生した。
このことから、第１の被覆部は、潰れる前の厚さが０．１〜３ｍｍであることが好ましいことが分った。これは、この範囲内の厚さの第１の被覆部の変形量及びせん断強度が最適であるため、先端挿入部として十分な深さが得られ、かつ、スクリーン本体を巻き取った状態での径が大きくならず、収納時にかさ張らないからである。また、第１の被覆部に用いる材料として、入手も容易である。
【００４７】
（変形例）
以上説明した実施例に限定されることなく、種々の変形や変更が可能であって、それらも本発明の均等の範囲内である。
（１）各実施例において、先端挿入部１４０，２４０，３４０，４４０，５４０は、巻き芯１２０の長手方向に直線の溝形状に形成される例を示したが、これに限らず、例えば、巻き芯１２０にらせん状に周回させる形で斜めに形成してもよいし、Ｖ字状に形成してもよい。
【００４８】
（２）各実施例において、スクリーン本体１１０，２１０は、白色のシート状の部材である例を示したが、これに限らず、例えば、その観察面側に光を拡散させる粒子等を練り込んだ拡散層を設けたり、裏面側（観察面側とは反対側）に反射効率を向上させるための反射層を設けたりしてもよい。また、適宜着色を施す等してもよい。
【００４９】
（３）図９は、変形例の巻き取り型反射スクリーン装置８０を示す図である。
巻き取り型反射スクリーン８０は、スクリーン８１０，収納部１２，錘部１３等を有する。なお、前述の実施例１に示した巻き取り型反射スクリーン装置１０と同様の機能を果たす部分には、同一の符号を付して、重複する説明を省略する。
各実施例において、巻き芯１２０に取り付けられるスクリーンは、全面が映像を表示可能なスクリーン本体１１０，２１０である例を示したが、これに限らず、例えば、図９に示すように、スクリーン本体８１１と巻き芯との間に、スカートフィルム、又は、リード等と呼ばれる接続部８１２を設けたスクリーン８１０を用いてもよい。
【００５０】
図９に示す変形例の巻き取り型反射スクリーン装置８０に用いられているスクリーン８１０は、映像光を反射して観察可能とするスクリーン本体８１１と、映像を表示しない接続部８１２とを有する。スクリーン本体８１１は、実施例１に示したスクリーン本体１１０と略同様の部材である。接続部８１２は、ポリカーボネート、ポリエチレンテレフタレート、オレフィン系樹脂、ポリ塩化ビニル、ターポリン等を用いて形成された黒色等のシート状又はフィルム状の部材である。接続部８１２は、その一端がスクリーン本体８１１と接合され、他端が不図示の巻き芯に取り付けられている。巻き芯への取り付け方法は、上述の各実施例のいずれかを適宜用いることができ、接続部８１２の先端部は、不図示の先端挿入部に挿入されている。
【００５１】
このような接続部８１２を設けることにより、巻き取り型反射スクリーン装置８０を天井などに固定した場合に、収納部１２から引き出された接続部８１２の長さに応じて、映像を表示するスクリーン本体８１１の高さを、観察者Ｏにとって最適な高さに調節することができる。また、巻き芯１２０とスクリーン本体との間に接続部を設けることにより、スクリーン本体に巻き段がつくことを防止することができる。
なお、図９では、接続部８１２は、巻き芯とスクリーン本体８１１との間のみに設けられる例を示したが、これに限らず、錘部１３とスクリーン本体８１１との間にも接続部を設けてもよい。
また、スクリーン本体８１１は、実施例２に示したスクリーン本体２１０と同様の部材を用いてもよい。
【図面の簡単な説明】
【００５２】
【図１】本発明による巻き取り型反射スクリーン装置１０の実施例１の使用状態を示す図である。
【図２】本発明による巻き取り型反射スクリーン装置１０の実施例１の収納部１２内の巻き芯１２０とスクリーン本体１１０との関係を説明する断面図である。
【図３】本発明による巻き取り型反射スクリーン装置の実施例２の収納部１２内の巻き芯１２０とスクリーン本体２１０との関係を説明する断面図である。
【図４】本発明による巻き取り型反射スクリーン装置の実施例３の収納部１２内の巻き芯１２０とスクリーン本体２１０との関係を説明する断面図である。
【図５】本発明による巻き取り型反射スクリーン装置の実施例４の収納部１２内の巻き芯１２０とスクリーン本体１１０との関係を説明する断面図である。
【図６】本発明による巻き取り型反射スクリーン装置の実施例５の収納部１２内の巻き芯１２０とスクリーン本体２１０との関係を説明する断面図である。
【図７】比較例１，比較例２の巻き取り型反射スクリーン装置６０，７０の巻き芯１２０とスクリーン本体１１０との関係を説明する断面図である。
【図８】実施例１から実施例５までの巻き取り型反射スクリーン装置１０，２０，３０，４０，５０と、比較例１及び比較例２の巻き取り型反射スクリーン装置６０，７０の各部の寸法等を示した図である。
【図９】変形例の巻き取り型反射スクリーン装置８０を示す図である。
【符号の説明】
【００５３】
１０，２０，３０，４０，５０    巻き取り型反射スクリーン装置
１１０，２１０    スクリーン本体
１１０ａ，２１０ａ    先端部
１２０    巻き芯
１２１    段差部
１３０，２３０，３３０，４３０，５３０    第１の被覆部
１３０ａ，２３０ａ，３３１，４３０ａ，５３０ａ    第１先端部
１３０ｂ，２３０ｂ，３３２ｂ，４３０ｂ，５３０ｂ    第２先端部
１４０，２４０，３４０，４４０，５４０    先端挿入部
２５０    第２の被覆部
３６０    両面テープ
【図１】
2007181552.tif 000003
【図２】
2007181552.tif 000004
【図３】
2007181552.tif 000005
【図４】
2007181552.tif 000006
【図５】
2007181552.tif 000007
【図６】
2007181552.tif 000008
【図７】
2007181552.tif 000009
【図８】
2007181552.tif 000010
【図９】
2007181552.tif 000011